(57)【要約】 【課題】  新たな部品を取り付けずとも遊技盤面を立体的に装飾して遊技の興趣を盛り上げることのできる装飾シート及びこの装飾シートが貼着された遊技盤を提供する。【解決手段】  遊技盤に用いられる装飾シート１であって、平坦部２と、この平坦部２を裏面から前方に突出させて形成した隆起部３とを備えたものとする。該隆起部３を造型物またはキャラクターに形成することができ、また、透明フィルム４の裏面に絵柄印刷層５、裏打ち紙６を積層することができる。また、上記した装飾シート１を盤面に貼着することにより、釘などの打込みを行うことなく遊技盤を立体的に装飾することができる。隆起部３は、球の流下方向を変更させるための障害物とすることができ、隆起部３の裏側凹部３ａに発光源２０を配設することができ、さらに、隆起部３の裏側凹部３ａに詰め物を充填することができる。【選択図】    図２
2005040345.tif 000002
【特許請求の範囲】
【請求項１】
遊技盤に貼着される装飾シートであって、平坦部と、この平坦部を裏面から前方に突出させて形成した隆起部とを備えていることを特徴とする装飾シート。
【請求項２】
隆起部を造型物またはキャラクターに形成したことを特徴とする請求項１に記載の装飾シート。
【請求項３】
隆起部が形成された透明フィルムと、透明フィルムの裏面に印刷された絵柄印刷層と、絵柄印刷層の裏面に貼着された裏打ち紙とからなることを特徴とする請求項１または２に記載の装飾シート。
【請求項４】
請求項１〜３の何れかに記載の装飾シートを盤面に貼着して盤面を立体的に装飾したことを特徴とする遊技盤。
【請求項５】
隆起部を球の流路に配して球流下方向を変更させるための障害物となしたことを特徴とする請求項４に記載の遊技盤。
【請求項６】
隆起部の裏側凹部に発光源を配設したことを特徴とする請求項４または５に記載の遊技盤。
【請求項７】
隆起部の裏側凹部に詰め物を充填したことを特徴とする請求項４〜６の何れかに記載の遊技盤。
【発明の詳細な説明】
【技術分野】
【０００１】
本発明は、遊技機の遊技盤に用いられる装飾シート及びこの装飾シートが貼着された遊技盤に関するものである。
【背景技術】
【０００２】
パチンコ機等の遊技機における遊技盤面には、釘、役物、各種の入賞口などの遊技部品が配設されているが、通常球が通過する当該盤面は平坦に形成されている。このように、従来の遊技盤は球が通過する盤面が平坦であったので、球の動きや流れ方向に変化を付けることができず、このために、球が流下する通路に風車やその他の装飾品を配置して球の流れに変化を付けて遊技の興趣を盛り上げていた。例えば、特開２００３−１０４２０号公報には、遊技盤面に立体隆起シールを取り付けたものが開示されている。しかしながら、この立体隆起シールは、遊技盤面に貼着される装飾シートとは別部品であるので、部品点数が多くなるとともに、組み立て時間の増大を招くという問題がある。また、その形状も単にお椀状に湾曲させただけのものであって球が衝突した時にも複雑にその流下方向を変化させることができず、従って興趣の盛り上げ効果において十分満足できるものではなかった。
【特許文献１】特開２００３−１０４２０号公報（図１）
【発明の開示】
【発明が解決しようとする課題】
【０００３】
本発明は上記した従来の問題点を解決し、新たな部品を取り付けずとも遊技盤面を立体的に装飾して遊技の興趣を盛り上げることのできる装飾シート及びこの装飾シートが貼着された遊技盤を提供するためになされたものである。    
【課題を解決するための手段】
【０００４】
上記の課題を解決するためになされた本発明の装飾シートは、遊技盤に貼着される装飾シートであって、平坦部と、この平坦部を裏面から前方に突出させて形成した隆起部とを備えていることを特徴とするものである。
なお、隆起部を造型物またはキャラクターに形成することができ、また、装飾シートを、隆起部が形成された透明フィルムと、透明フィルムの裏面に印刷された絵柄印刷層と、絵柄印刷層の裏面に貼着された裏打ち紙とからなるものとすることができる。
【０００５】
また、本発明の遊技盤は、上記した装飾シートを盤面に貼着して盤面を立体的に装飾したことを特徴とするものであり、隆起部を球の流路に配して球流下方向を変更させるための障害物となすことができ、隆起部の裏側凹部に発光源を配設することができ、さらに、隆起部の裏側凹部に詰め物を充填することができる。
【発明の効果】
【０００６】
本発明の装飾シートは、平坦部と、この平坦部を裏面から前方に突出させて形成した隆起部とを備えたものとしたので、新たな部品を取り付けずとも遊技盤面を立体的に装飾することができる。前記隆起部を造型物またはキャラクターに形成したり、隆起部の裏面に透明インクまたは不透明インクによる絵柄印刷層を形成することによって隆起部の装飾効果に変化を付けることができる。
【０００７】
また、本発明の遊技盤は、上記した装飾シートを盤面に貼着することにより盤面を立体的に装飾することができ、隆起部を球の流路に配することにより球流下方向を変更させるための障害物となすことができて、一部の釘を省略することができる。また、隆起部の裏側凹部に発光源を配設することにより遊技盤をきらびやかに装飾することができ、さらに、隆起部の裏側凹部に詰め物を充填することによって、球の衝突による変形を防止することができる。
【発明を実施するための最良の形態】
【０００８】
以下に図面を参照しつつ本発明の好ましい実施形態を説明する。図１、２は本発明の装飾シートを示す図であって、装飾シート１には、平坦部２と隆起部３とが形成されている。図中上方の隆起部３はキャラクターを模したものであり、下方の隆起部３は生物を模した造型物である。
【０００９】
前記装飾シート１は、透明フィルム４の裏側に透明インク、または不透明インクによる絵柄印刷層５が形成され、さらにその裏側に裏打ち紙６が貼着されたものである。隆起部３は透明フィルム４の平坦部２を裏面から前方に押出して形成されたものであって、この隆起部３は薄板状の透明フィルム４をプレス成形することにより形成することができるし、溶融した樹脂を鋳型内のキャビティに射出、押出し等することによっても形成することができる。尚、透明フィルムの材質として、キャブロイド（セルロースアセテートブチレート）、塩化ビニール（ＰＶＣ）、ポリウレタン（ＰＶＲ）、ポリエチレンテレフタレート（ＰＥＴ）等の透明性合成樹脂を用いることができ、これらの材質を用いて透明フィルム４を形成することにより、装飾シート１の表面側から印刷された絵柄を視認することができる。
【００１０】
図２に示す装飾シート１は台板７に貼着されており、従って遊技盤を立体的に装飾することができる。さらに、この隆起部３の裏側凹部３ａには、豆電球や発光ダイオードなどの発光源２０が配設されているので、この発光源２０を点滅させることにより隆起部３で光を散乱させて遊技盤をきらびやかに装飾することができる。隆起部３は、薄い装飾フィルム１に凹凸が形成されたものであるので、長時間の使用により変形したり破損したりする恐れがある。したがって、隆起部３の裏側凹部３ａにホットメルトなどの詰め物を充填して補強することにより隆起部３の変形、破損を防止することができる。
【００１１】
図３は、４つの隆起部３を有する装飾シート１が貼着されたパチンコ機の遊技盤を示す図であって、これらの隆起部３は、球の流路に配置されていて、球の流下方向を変更させるための障害物としての役目を果たす。また、隆起部３はキャラクターや造形物を模したものであってその形状は複雑に変化しており、衝突部位によって球の流れが大きく変化する。従って、遊技盤の中央に配された役物８、特定入賞口９、始動入賞口１０、大入賞口１１への球の流れに複雑な変化を付けて遊技の興趣を盛り上げることができる。また、従来は釘の打ち付けなどによって設けていた隆起部３が予め装飾シート１に形成されているので、隆起部３取り付けのための釘打込み作業を必要としないので、遊技盤の組み立てを迅速且つ容易に行うことができる。部品点数が少なく嵩張らず運搬が楽である等の利点を有する。
【産業上の利用可能性】
【００１２】
本発明の装飾シートは、パチンコ機のみならずスロットマシンなどの各種の遊技機の遊技盤面を装飾する用途に適用することができる。
【図面の簡単な説明】
【００１３】
【図１】本発明の装飾シートの正面図である。
【図２】図１におけるＡ−Ａ線断面図である。
【図３】本発明の装飾シートが貼着された遊技盤の正面図である。
【符号の説明】
【００１４】
１  装飾シート
２  平坦部
３  隆起部
３ａ  隆起部の裏側凹部
４  透明フィルム
５  絵柄印刷層
６  裏打ち紙
２０  発光源
【図１】
2005040345.tif 000003
【図２】
2005040345.tif 000004
【図３】
2005040345.tif 000005